(57)【要約】【課題】組合せ計量結果を可及的に目標値に近づけて計量精度を改善しながら、組合せ不成立の確率を可及的に少なくして装置の稼働率を向上させることのできる新たな組合せ計量装置を提供する。  【解決手段】計量手段で計量した物品を複数のストック部の一つに供給する動作を繰り返しながら、計量した物品の質量と各ストック部内に供給された物品の質量を組合せて、組合せ加算値が許容範囲内に収まる最適組合せを求め、求めた最適組合せに属する物品を収集する組合せ計量装置であって、最適組合せが求まる毎に計量精度が改善するか否かを判断し、改善しない場合は、計量した前記物品をどのストック部に供給すれば、各ストック部内の物品質量のばらつきが適正になるかを判断し、適正になると判断したストック部に対して計量した前記物品を供給する。  【選択図】図５
2015219190.tif 000002
【特許請求の範囲】
【請求項１】
一塊の物品を個別に計量して、複数のストック部の何れかに供給する動作を繰り返しながら、新たに計量した物品質量と各ストック部内のそれぞれの物品質量とを対象として組合せ、組合せ加算値が設定許容範囲内にあって目標値に最も近い最適組合せを求め、求めた最適組合せに属する物品を収集して設定許容範囲内の集合体を形成する組合せ計量方法であって、
前記最適組合せが求まる毎に計量精度が改善するか否かを判断し、改善しない場合は、計量した前記物品をどのストック部に供給すれば、各ストック部内の物品質量のばらつきが適性になるかを判断し、適性になると判断したストック部に、計量した前記物品を供給することを特徴とする組合せ計量方法。
【請求項２】
計量した前記物品をストック部に供給するに際しては、それまでに計量した物品の平均質量を一つのストック部に供給したと仮定し、その状態で、計量した前記物品を各ストック部に順次供給した場合の、各ストック部内の物品質量の分散度を求める処理を、前記平均質量の物品が供給されたと仮定するストック部を順次入れ替えながら、全てのストック部について実行し、得られた各分散度の中から、設定許容範囲内に収まる組合せが安定的に得られる分散度を特定し、特定した分散度を与えるストック部に対して計量した前記物品を供給することを特徴とする請求項１に記載の組合せ計量方法。
【請求項３】
請求項１に記載の組合せ計量方法であって、
前記設定許容範囲内で、より目標値に近い許容範囲を設け、目標値に最も近い最適組合せの加算値がこのより厳しい許容範囲内に収まれば、求めた前記組合せに属する物品をストック部から収集することを特徴とする組合せ計量方法。
【請求項４】
目標値に最も近い最適組合せの加算値が設定許容範囲内に収まっており、かつ、計量した前記物品の質量と各ストック部内の物品質量との合計値が限界量を超えていれば、その組合せに属する物品をストック部から収集することを特徴とする請求項１乃至３の何れかに記載の組合せ計量方法。
【請求項５】
計量した前記物品をストック部に供給すると稼働率が悪化する場合は、計量した前記物品をストック部に供給する前に、一部のストック部から物品を排出することを特徴とする請求項１乃至４の何れかに記載の組合せ計量方法。
【請求項６】
物品の質量を求める計量手段と、前記計量手段で計量された物品を収納する複数のストック部と、前記計量手段で計量された物品を何れかのストック部に充填する振分部と、前記計量手段で計量された物品の質量と各ストック部に供給された物品の質量とを対象として組合せ、組合せ加算値が設定許容範囲内にあって目標値に最も近い最適組合せを求め、求めた最適組合せに属する物品を収集する組合せ計量装置であって、
前記最適組合せが求まる毎に計量精度が改善するか否かを判断し、改善しない場合は、計量した前記物品をどのストック部に供給すれば、各ストック部内の物品質量のばらつきが適正になるかを判断し、適正になると判断したストック部に計量した前記物品を供給する制御部を備えたことを特徴とする組合せ計量装置。
【請求項７】
前記計量手段は、Ｘ線透過画像に写し出された物品の濃淡レベルと、各濃淡レベルに対応する質量とから前記物品の質量を推定するＸ線検査装置である請求項６に記載の組合せ計量装置。
【請求項８】
前記振分部は、前記計量手段で計量された物品を摘み上げて、それを前記ストック部の何れかに供給するロボットハンドである請求項６に記載の組合せ計量装置。
【発明の詳細な説明】
【技術分野】
【０００１】
本発明は、計量した物品を何れかのストック部に供給しながら、計量した物品の質量と各ストック部内に収納された物品の質量とを組合せて所定質量の物品の集合体を形成する組合せ計量方法とその方法を実施する組合せ計量装置に関する。
【背景技術】
【０００２】
組合せ計量装置は、農産物、水産物、加工食品等のように、質量にばらつきのある物品を一定質量に自動計量する装置として種々の分野で広く使用されている。この装置の基本形は、物品の集合体を複数の経路（例えば、ホッパ等）に小分けした後、各経路において小分けされた物品の質量を個別に計量し、得られた各質量を組合せて目標値に最も近い物品の組合せを求め、求めた組合せに係る物品を一箇所に集合させることにより、一定質量の物品の集合体を形成するものである。
【０００３】
ところが、最近では、単品を個別に計量した後、これらを所定質量に組合せる要望が強まっている。その代表例としては、例えば、ブロイラーの胸肉、モモ肉、手羽元等を部位単位で一定質量に計量して袋詰めにするものを挙げることができる。このような物品は、解体された部位を集めて複数の経路に分散させるよりも、解体された部位をそのまま個別に計量し、得られた複数個の物品の質量を組合せて一定質量の物品の集合体を形成する方が合理的である。
【０００４】
この方式を採る組合せ計量装置としては、例えば、下記特許文献に記載の装置を挙げることができる。これらの装置では、搬送されてくる物品を１台の計量コンベアで計量した後、複数個配列されたホッパの何れかに投入する動作を繰り返しながら、投入された物品質量が目標値に最も近い一つのホッパ（特許文献１参照）、或いは、複数のホッパの組合せ（特許文献２参照）を求めて排出するものである。
【先行技術文献】
【特許文献】
【０００５】
【特許文献１】特開昭５６−１０１５２２号公報
【特許文献２】特開昭５６−０５５８１７号公報
【発明の概要】
【発明が解決しようとする課題】
【０００６】
ところが、これらの特許文献に記載の装置では、物品を計量する都度、その時点で目標値に最も近い一つのホッパ或いは複数のホッパの組を選ぶため、計量精度の向上と稼働率の向上とを両立させることが難しいという問題がある。例えば、２００ｇの物品を投入すれば、ちょうど目標値に到達する組合せがあっても、次に投入した物品が２５０ｇで、それで許容範囲に収まれば、組合せが成立したとして該当する物品を排出する。しかし、その場合には、目標値を５０ｇオーバーしているので、生産者にとっては、それが損失となる。かといって、この偏差を少なくするために、許容範囲の上下限値を絞れば、組合せ不成立となる確率が増えて、今度は、装置の稼働率が低下する。
ここで稼働率とは、組合せが成立して一定質量の物品を排出した回数を、その間に行った全組合せ計量回数で割った値である。
【０００７】
本発明は、こうしたトレードオフの関係にある２つの条件、すなわち、組合せ計量結果を可及的に目標値に近づけて計量精度を改善しながら、組合せが不成立となる確率を可及的に少なくして装置の稼働率も向上させることのできる新たな組合せ計量方法とその方法を実施することのできる新たな組合せ計量装置を提供することを課題とする。
【課題を解決するための手段】
【０００８】
上記課題を解決するために、本発明に係る組合せ計量方法は、一塊の物品を個別に計量して、複数のストック部の何れかに供給する動作を繰り返しながら、新たに計量した物品質量と各ストック部内のそれぞれの物品質量とを対象として組合せ、組合せ加算値が設定許容範囲内にあって目標値に最も近い最適組合せを求め、求めた最適組合せに属する物品を収集して設定許容範囲内の集合体を形成する組合せ計量方法であって、
前記最適組合せが求まる毎に計量精度が改善するか否かを判断し、改善しない場合は、計量した前記物品をどのストック部に供給すれば、各ストック部内の物品質量のばらつきが適性になるかを判断し、適性になると判断したストック部に、計量した前記物品を供給することを特徴とする。
【０００９】
この組合せ計量方法では、計量した物品を各ストック部内に供給する動作を繰り返しながら、次に計量した物品質量と各ストック部内の物品質量とを組合せに参加させるから、各ストック部内の物品質量の加算値が目標質量を超えるまでは、設定許容範囲内の組合せは成立しない。そのため、目標質量を超える物品がストック部内に溜まるまでは、計量した物品をストック部内に供給して行かねばならないが、その際、計量した物品をどのストック部に供給してもよいというものではなく、装置の稼動率をアップするためには、各ストック部内の物品質量のばらつきが適正になるように供給して行かねばならない。
【００１０】
組合せ計量分野では、組合せる各物品質量は、適度にばらついている方が設定許容範囲内に収まる組合せが安定的に得られることが知られている。それは、各物品質量がほぼ同じ値に揃ってしまうと、その整数倍の組合せ加算値しか得られないから、その加算値が設定許容範囲内に収まらなければ、全ての組合せが不成立となってしまうからである。
【００１１】
そこで、本発明では、計量した物品をどのストック部に供給すれば、次の組合せ計量において、設定許容範囲内に収まる組合せが安定的に得られる「ばらつき」になるかを計算する。その際、次の組合せ計量では、未だ計量していない未知の物品質量が新たに組合せに参加するから、その未知の物品質量をこれまで計量した個々の物品質量の平均質量と看做し、この平均質量（以下、これを看做し平均質量という。）を使って、前述の「ばらつき」を計算するのである。ここで、看做し平均質量を採用するのは、その後に計量する未知の実際の物品質量との偏差を可及的に少なくするためである。
【００１２】
そして、各ストック部内の物品質量の「ばらつき」を計算するときは、看做し平均質量と、計量した物品の質量と、各ストック部内の物品質量とを組合せに参加させた場合の、各ストック部内の物品質量の「ばらつき」（以下では、この「ばらつき」を分散度と称する。）を求めることになる。
【００１３】
具体例で説明すると、例えば、ストック部が５つあり、それぞれのストック部には、下記表１の上欄に示す質量の物品がそれぞれストックされているとする。そして、新たに計量した物品が２５０ｇで、看做し平均質量が２００ｇであるとすると、このケースでは、まず、看做し平均質量２００ｇの物品をストック部１に供給したと仮定し、その状態で、計量した２５０ｇの物品をストック部１からストック部５まで順次供給したと仮定した場合の、各ストック部内の物品質量の分散度を求める。その場合の各分散度は、右欄に示すような５通りとなる。
【表１】
2015219190.tif 000003
【００１４】
次に示す表２は、看做し平均質量２００ｇの物品をストック部２に供給したと仮定し、その状態で、計量した２５０ｇの物品をストック部１からストック部５まで順次供給したと仮定した場合の、各ストック部内の物品質量の分散度を求めたものである。この場合の各分散度は、右欄に示すような５通りとなる。
【表２】
2015219190.tif 000004
【００１５】
こうして、看做し平均質量２００ｇの物品を何れかのストック部に供給したと仮定し、その状態で、計量した２５０ｇの物品を各ストック部に順次供給したと仮定した場合の、各ストック部内の物品質量の分散度を求めるのである。前述の具体例では、５つのストック部に対して、看做し平均質量２００ｇの物品と計量した２５０ｇの物品とを供給していくから、組合せ数は、５×５＝２５通りとなり、この２５通りの分散度の中から、設定許容範囲内に収まる組合せが安定的に得られる分散度を特定し、特定した分散度を与えるストック部に対して計量した物品を供給していくのである。
【００１６】
次に、この分散度の特定の仕方について説明する。まず、ここで扱う物品は自然物であるから、その物品質量の分散度は、正規分布となり、その加算値も正規分布となる。その場合の確率密度関数をfi(x)とすると、加算値ｍ１と加算値ｍ２との間に１個以上の加算値が存在する確率Pi(m1≦X＜m2)は、
【００１７】
【数１】
2015219190.tif 000005
となる。
【００１８】
また、ｎ個からｉ個取り出す組合せは、nＣi個あるので、ｎ個の加算値を使用して得られる全ての組合せ加算値の中から、１個以上の組合せ加算値が上記範囲m1≦X＜m2に入る確率Piは、
【００１９】
【数２】
2015219190.tif 000006
となる。
また、未だ計量していない物品の看做し平均質量と、各ストック部内の物品質量との平均値μ、並びに、その分散σ２が分かれば、上記確率密度関数fi(x)は、
【００２０】
【数３】
2015219190.tif 000007
となる。
【００２１】
そして、例えば、組合せ計量対象となる物品が６つあり、それらの質量を組合せる場合を想定すると、その場合の主要な組合せ6Ｃ3〜6Ｃ5の確率密度関数は、図１、図２に示すようなグラフになる。ただし、このケースでは、６つの物品質量から３つの物品質量を選ぶ組合せ数が最も多くなるので、6Ｃ3の領域を最適化するために、一例として、組合せ目標値を５ｋｇに、選択する３つの物品質量の平均値μを５Kg÷３≒1667gとし、さらに            
図１では、標準偏差σ＝583.5  分散度＝σ／μ＝0.35
図２では、標準偏差σ＝416.5  分散度＝σ／μ＝0.25
を与えて計算している。なお、6Ｃ6の関数の影響は僅かであるため、その関数は、これらの図には描いていない。
【００２２】
これらの図から明らかなように、分散度を２５％に設定した図２では、各確率分布の合計値が描く曲線は、山と谷とを繰り返すから、組合せ加算値が谷の領域に入れば、組合せ不成立の確率が高くなる。これに対し、分散度を３５％に設定した図１では、各確率分布の合計値は、なだらかな曲線になる。特に、組合せ数が最も多くなる6Ｃ3を中心とする領域では、組合せ成立の確率が安定する。この安定傾向は、分散度が高くなる程より顕著になるが、分散度が高くなれば確率密度関数のピーク値は下がるので、トータルとしての確率は、逆に低下する。
【００２３】
そこで、分散度が２５％から４０％の範囲であれば、組合せ数が最も多くなる領域において、前記曲線が大きな谷を持たなくなるので、求めた分散度がこの範囲内に収まれば、その分散度を与えるストック部に対して計量した物品を供給するのである。また、求めた幾つかの分散度が上記範囲内に入っていれば、その中で３５％付近の分散度を特定し、その分散度を与えるストック部に対して計量した物品を供給していく。これにより、次の組合せ計量において、設定許容範囲内に収まる組合せが安定的に得られ、その結果として稼動率を向上させることができるのである。
【００２４】
こうして、各ストック部内に計量した物品を蓄積しながら、次に計量する新たな物品の質量と各ストック部内の物品の質量とを対象とした組合せを実行して、設定許容範囲内で目標質量に最も近い組合せを選ぶが、その組合せが見つかったとしても、それをそのまま収集したのでは、設定許容範囲によって規定される当初の計量精度を改善することはできない。そこで、本発明では、組合せ加算値が、設定許容範囲よりもより厳しい許容範囲内に収まっていれば、その組合せに属する物品を収集するが、そうでなければ、その組合せに属する物品を収集せずに、前述の方法でもって、計量した物品を何れかのストック部に供給していくのである。
【００２５】
ここで、予め設定された許容範囲よりもより厳しい許容範囲とは、例えば、ユーザが予め設定した許容範囲の半分というように、より厳しい許容範囲の上下限値を予め固定しておくのである。あるいは、毎回の組合せ計量結果の平均値から計量精度と稼動率の傾向を求め、その両者が最大となるようにより厳しい許容範囲を調整しても良い。このようにして、計量精度と稼働率を改善していくのである。
【００２６】
ただし、こうしたより厳しい許容範囲を設けると、目標値に最も近い組合せ加算値がユーザの設定した許容範囲内に収まっていても、それよりも厳しい許容範囲内には収まらないケースが出てくる。そうしたケースが続く場合に、計量済の物品をストック部に供給し続けると、ストック部内の物品質量が過剰になって、却って組合せ不成立を起こしてしまう。そこで、本発明では、目標値に最も近い組合せ加算値がユーザの設定した許容範囲内に収まり、かつ、新たに計量した物品質量と各ストック部内の物品質量との合計値が予め設定した限界量を超えていれば、組合せ加算値がこのより厳しい許容範囲内に収まっていなくても、その組合せに属する物品を排出して、計量精度と稼働率とを低下させないようにしている。この限界量は、例えば目標値の1.8倍〜2.2倍の値である。
【００２７】
また、目標値に最も近い組合せ加算値がユーザの設定許容範囲内に収まらなければ、計量済の物品を何れかのストック部に供給することになるが、そのときの各ストック部への貯留量をどこまで許すかによっても稼働率は変わる。例えば、各ストック部内の物品質量の合計値が目標値の３乃至４倍を越えてしまうと、組合せ成立の確率は、少なくなって稼働率は低下する。そこで、本発明では、ストック部に物品を供給すると、稼動率の悪化が見込まれる場合は、計量した物品をストック部に供給する前に、一部のストック部から物品を排出して、ストック部内の物品の過量状態を解消する。この場合の排出物品は、設定許容範囲内に組合わされたものではないので、不良品として回収する。
【００２８】
以上の方法を実施するために、本発明に係る組合せ計量装置は、物品の質量を求める計量手段と、前記計量手段で計量された物品を収納する複数のストック部と、前記計量手段で計量された物品を何れかのストック部に充填する振分部と、前記計量手段で計量された物品の質量と各ストック部に供給された物品の質量とを対象として組合せ、組合せ加算値が設定許容範囲内にあって目標値に最も近い最適組合せを求め、求めた最適組合せに属する物品を収集する組合せ計量装置であって、
前記最適組合せが求まる毎に計量精度が改善するか否かを判断し、改善しない場合は、計量した前記物品をどのストック部に供給すれば、各ストック部内の物品質量のばらつきが適正になるかを判断し、適正になると判断したストック部に計量した前記物品を供給する制御部を備えたことを特徴とする。
これにより、計量精度を改善しながら、組合せ不成立となる確率を可及的に少なくして装置の稼働率を向上させるのである。
【００２９】
図３、図４は、本発明に係る組合せ計量装置を説明するための装置モデルを示す。これらの図において、質量の異なる個々の物品Ｍ、Ｍ１は、上流のコンベアＢによって計量手段１まで搬送され、そこで計量された後、振分部３によって何れかのストック部４ｎ（但し、ｎは１〜６の整数。以下、同じ）に振分けられる。そして、各ストック部４ｎに物品が溜まり、新たな物品Ｍが計量手段１で計量されると、制御部２は、計量した新たな物品Ｍの質量と各ストック部４１〜４６内に充填された物品の質量とを対象として組合せ、その中から組合せ加算値が設定許容範囲内にあって目標値に最も近い最適組合せを求める。
【００３０】
計量手段１は、ベルトコンベア１１と、そこに載荷された物品Ｍの質量を計量する計量器１２とを備えた周知構成の計量コンベア１０で構成されるが、これに代えて、特許第５１４８２８５号公報に開示されたＸ線異物検査装置を用いて物品Ｍに付着する異物検出と同時にその質量も併せて検出するようにしても良い。このＸ線異物検査装置で物品Ｍの質量を検出するときは、Ｘ線透過画像に写し出された物品領域の濃淡レベルと各濃淡レベルに対応する基準質量とから物品が占める領域の質量を推定する。この検査装置を使用すれば、物品に含まれる異物検出と同時に、物品の質量も計測できるので、異物が含まれる物品を組合せ対象から排除して、最終商品の品質を高めることができる。
【００３１】
図３の振分部３は、計量手段１の搬出端下部を回転中心として旋回する下り傾斜の回転シュート３１で構成され、制御部２が回転シュート３１に駆動指令を送信すると、回転シュート３１は、指定されたストック部４ｎまで旋回して、計量手段１から排出された物品Ｍを指定されたストック部４ｎに供給する。
【００３２】
また、図４の振分部３は、多関節型のロボットハンド３２で構成され、図３の制御部２がロボットハンド３２に駆動指令を送信すると、ロボットハンド３２が計量手段１上の物品Ｍを摘み上げ、それを指定されたストック部４ｎまで移送して放出するようになっている。
【００３３】
このロボットハンド３２に、特開２０１３−７９９３１号公報に開示された質量測定装置を組み込んで、ロボットハンド３２で物品Ｍを移送しながら、その物品質量も同時に検出するように構成しても良い。この質量測定装置は、ロボットハンド３２に力検出器と加速度検出器とを組み込んで、ロボットハンド３２が物品Ｍを移送するときに受ける力と加速度とに基づいて物品Ｍの質量を算出するようにしたものである。これを使用すれば、計量手段１と振分部３とを一体化した、よりコンパクトな装置とすることができる。
【００３４】
図３、図４のストック部４ｎは、ゲート開閉式のホッパで構成されるが、これに代えて転倒式のバケットを用いることもできる。また、これらの図では、ストック部４ｎを６つ配置しているが、これは一例であって、この数に限定されるものではない。一般的に、ストック部の数を増やせば、組合せ数が増えるので、組合せ計量精度を向上させることはできるが、その分、装置が大型化するデメリットもある。そうした観点から、ここでは計量精度を維持しつつ、装置の稼働率を高く維持できる台数として６つを例示している。
【００３５】
これらの装置モデルでは、物品Ｍは、上流側からランダムに送られてくるので、制御部２は、計量コンベア１０が物品Ｍの質量を計量したタイミングで、その質量と各ストック部４ｎに供給された物品ｍの質量とを対象として組合せ、その中から設定許容範囲内で目標値に最も近い最適組合せを求める。求めた最適組合せの加算値が、ユーザが設定した許容範囲よりもさらに厳しい許容範囲内に収まっていれば、その最適組合せに属する物品ｍを収納したストック部４ｎや計量コンベア１０から排出させる。
【００３６】
図３において、最適組合せに選ばれた物品の一つが計量コンベア１０上の物品Ｍであるときは、同時に最適組合せに選ばれた最寄りのストック部４ｎまで回転シュート３１を回転させ、そのストック部４ｎに計量した物品Ｍを供給してから、そのストック部４ｎ内の物品ｍと共にコンベアＣに排出させる。
また、図４の装置モデルにおいては、最適組合せに選ばれた計量コンベア１０上の物品Ｍをロボットアーム３２が摘み上げ、それを集合シュート５０の排出口まで移動させてコンベアＣ上に放出する。
【００３７】
一方、最適組合せの加算値がより厳しい許容範囲内に収まっていなければ、制御部２はそれまでに計量した物品の看做し平均質量を一つのストック部４１に供給したと仮定し、その状態で、計量コンベア１０で計量した物品Ｍを各ストック部４ｎに順次供給した場合の、各ストック部４ｎ内の物品質量の分散度を求める。
【００３８】
続いて、前記平均質量の物品を次のストック部４２に供給したと仮定し、その状態で、計量コンベア１０で計量した物品Ｍを各ストック部４ｎに順次供給した場合の、各ストック部４ｎ内の物品質量の分散度を求める。こうして、平均質量が供給されたと仮定するストック部４ｎを順次入れ替えながら、全てのストック部４ｎについて実行する。このケースでは、ストック部４ｎが６つあるから、３６通りの分散度が得られ、それらの分散度の中から、設定許容範囲内に収まる組合せが安定的に得られる分散度を特定し、特定した分散度を与えるストック部４ｎに対して計量した物品Ｍを供給していくのである。
【発明の効果】
【００３９】
本発明によれば、目標値に最も近い最適組合せが求まる毎に、計量精度が改善するか否かを判断し、改善する場合は、その最適組合せに属する物品を収集するが、そうでない場合は、計量した前記物品をどのストック部に供給すれば、設定許容範囲内に収まる組合せが安定的に得られるかを判断し、それによって特定されたストック部に対して計量した物品を供給していくので、組合せ計量精度と稼働率とを同時に向上させることができる。
【図面の簡単な説明】
【００４０】
【図１】標準偏差583.5、分散度0.35の6Ｃ1〜6Ｃ5の確率密度関数のグラフ。
【図２】標準偏差416.5、分散度0.25の6Ｃ1〜6Ｃ5の確率密度関数のグラフ。
【図３】本発明に係る組合せ計量装置を説明するための装置モデル図。
【図４】本発明に係る組合せ計量装置を説明するための他の装置モデル図。
【図５】本発明に係る組合せ計量装置の一実施形態の外観斜視図。
【図６】上記実施形態の構成ブロック図。
【図７】ＲＡＭの記憶例を示すメモリ構造図。
【図８】制御部の基本動作を示すフローチャート。
【図９】組合せ計量処理の一例を示すフローチャート。
【図１０】ストック部へ物品を供給する場合のフローチャート。
【図１１】上記実施形態の下でシミュレーションした計量精度を示すグラフ。
【図１２】上記実施形態の下でシミュレーションした稼動率を示すグラフ。
【発明を実施するための形態】
【００４１】
以下、本発明の組合せ計量装置の一実施形態を図５〜図１０に基づいて説明する。
図５は、上記実施形態の主要部の外観斜視図を示す。この図において、組合せ計量装置１００は、計量コンベア１０と、それと縦列接続された振分コンベア３０と、その振分コンベア３０の側方下部に配列された６台のストック部４ｎと、振分コンベア３０に沿って配置されて、振分コンベア３０上の物品Ｍを各ストック部４１〜４６へ（以下、４ｎと表記するが、ｎは１〜６の任意の整数を採る場合もある。）、或いは、下方のコンベアＣへ振分ける振分部３と、各ストック部４ｎから排出された物品、あるいは、振分コンベア３０から直接排出された物品を収集する下段のコンベアＣと、これらの動作を制御する制御部２（図６参照）とを備えている。
【００４２】
計量コンベア１０は、ベルトコンベア１１と、そこに載荷された物品Ｍの質量を計量する計量器１２と、組合せ計量装置１００に対する設定操作を行う操作表示部２０とを備えている。なお、図示はしていないが、この計量コンベア１０の上流側には、周知構成の２個乗り防止コンベアや搬入コンベアが接続される。
【００４３】
計量器１２は、ベルトコンベア１１に載荷された物品の質量を検出する周知構成の質量検出器と、その検出器のアナログ出力を増幅する信号処理回路と、その信号処理回路のアナログ出力をデジタル信号に変換するＡ／Ｄ変換器とを備えている。そして、質量検出器から物品の質量に比例するアナログ信号が出力されると、それを信号処理回路で増幅した後、Ａ／Ｄ変換器でデジタル量に変換して制御部２に出力するようになっている。
【００４４】
操作表示部２０は、筐体２１の前面に取り付けられたタッチパネルで構成され、その筐体２１下部の装置フレームには、支持脚２２が固定されている。また、操作表示部２０内には、装置１００全体を制御する制御部２が格納され、さらに、ベルトコンベア１１の入口側には、搬入される物品Ｍを検出する光電センサ２３が取り付けられている。この光電センサ２３が物品Ｍを検出すると、制御部２は、計量タイマーを始動させる。そのタイマ時間は、検出された物品Ｍの先端がベルトコンベア１１の排出端手前に到達するまでの搬送時間に設定されている。そして、タイマーがタイムアップすると、計量コンベア１０が安定しているので、制御部２は、そのときの物品Ｍの質量を計量器１２から入力する。
【００４５】
振分部３は、振分コンベア３０で搬送中の物品Ｍを各ストック部４ｎやシュート６０に振分けるもので、第１振分アーム５１〜５６と第２振分アーム５７とを備えている。これらの振分アーム５ｎ（ｎは、１から７までの整数）は、振分コンベア３０に沿って一定間隔に配列された上下方向の駆動軸Ｓと、その駆動軸Ｓを中心として水平方向に遥動する遥動アームＡとで構成され、制御部２から振分アーム５ｎに駆動指令が送信されると、駆動軸Ｓが回転して遥動アームＡを搬送路側へ旋回させる。これにより、振分コンベア３０で搬送されてきた物品Ｍが遥動アームＡに押されながら指定されたストック部４ｎに排出される。
【００４６】
第２振分アーム５７は、搬送中の物品Ｍが最適組合せの一つに選ばれたときに、その物品Ｍをストック部４ｎとは反対側のシュート６０へ振分けるもので、この振分アーム５７も第１振分アーム５ｎと同様に構成されて、制御部２から駆動指令を受けると、第２振分アーム５７が搬送路上に旋回し、これにより、最適組合せに選ばれた物品Ｍが、シュート６０を介してコンベアＣへ排出されるようになっている。こうして、振分コンベア３０から排出された物品Ｍと、ストック部４ｎから直接排出された他の物品とが下段のコンベアＣに集められ、最適組合せの所定質量の物品として、下流の立上コンベア６１へ搬送される。したがって、第２振分アーム５７は、第１振分アーム５６と対向する側の振分コンベア３０の下流端に少なくとも一つあれば良いが、物品間隔が詰まった状態で複数の物品が搬送される場合は、第２振分アーム５７とシュート６０との組を振分コンベア３０に沿って複数組配置しても良い。
【００４７】
また、この実施形態では、第１振分アーム５ｎをストック部４ｎが配列された側の振分コンベア３０上に配列したが、これとは反対側に配列しても良い。その場合には、各振分アーム５ｎの駆動軸Ｓを遥動アームＡよりも上流側に位置させて、遥動アームＡを下流側から上流側へ向けて水平に遥動させるようにする。そうすれば、搬送中の物品Ｍが対応するストック部４ｎに到達しても、その時点から遥動アームＡを旋回させれば、対応するストック部４ｎに物品Ｍを排出することができる。
【００４８】
振分コンベア３０は、６つ配列されたストック部４ｎの全長よりも若干長めのベルトコンベアで構成され、その入口側には、物品Ｍの進入を検出する光電センサ３３が取り付けられている。この光電センサ３３が物品Ｍの進入を検出すると、制御部２は、その物品に対応させた振分タイマーを始動させる。そのタイマー時間は、物品Ｍが振分コンベア３０に進入してから対応するストック部４ｎに到達するまでの搬送時間に設定されている。そして、振分タイマーがタイムアップすると、制御部２は、対応する振分アーム５ｎを旋回させて、そこに到達した物品Ｍを対応するストック部４ｎに排出させる。また、先行する物品Ｍに続いて、後続の物品Ｍが振分コンベア３０に進入し、それらが前後して搬送される場合もある。そのため、振分タイマーは、それぞれの物品Ｍに対応して設けられ、前後する物品が対応する振分アーム５ｎに到達すると、対応するそれぞれの振分アーム５ｎが個別に駆動されるようになっている。
【００４９】
各ストック部４ｎは、両開きゲート４０を備えたホッパで構成され、制御部２から駆動指令を受信すると、両開きゲート４０を開閉させて、ストック部４ｎ内の物品をコンベアＣ上に排出する。また、このコンベアＣは、各ストック部４ｎから排出された物品を収集しながら、立上コンベア６１まで搬送するベルトコンベアで構成されている。
【００５０】
振分コンベア３０の下流端部に設けられたシュート６０は、振分コンベア３０の側方から下方のコンベアＣ上まで延びる傾斜板で構成され、その傾斜板に物品が排出されると、それをコンベアＣ上まで案内して放出する。また、何れかのストック部４ｎから物品が排出されると、制御部２は、コンベアＣを一定時間駆動させて、上流のストック部４１から排出された物品を立上コンベア６１まで搬送して停止する。また、立上コンベア６１は、コンベアＣが停止すると、一定時間駆動されて、一まとめにされた物品の集合体を図示しない下流の包装工程へ搬送する。
【００５１】
図６は、この実施形態の構成ブロック図の一例を示す。この図において、制御部２は、コンピュータで構成され、内部には、ＲＯＭ２４とＲＡＭ２５が設けられている。ＲＯＭ２４には、各種プログラムが格納され、ＲＡＭ２５には、操作表示部２０から入力された各種運転条件（例えば、搬送速度）と、設定許容範囲、すなわち、上限値と下限値（目標値）と、計量器１２から入力された物品質量と、各ストック部４ｎに貯留された物品の質量と、各ストック部４ｎに貯留された物品の分散度等の情報が記憶されている。
【００５２】
制御部２には、上流と下流の各光電センサ２３、３３と、ベルトコンベア１１と、計量器１２と、操作表示部２０と、各ストック部４ｎのゲート駆動部とが接続されている。そして、上流の光電センサ２３から物品Ｍの検出信号が入力されると、制御部２は、計量タイマーを始動させ、それがタイムアップすると、物品Ｍは、計量コンベア１０の排出端付近まで搬送されているから、その時点での物品質量を計量器１２から入力する。また、制御部２は、入力した物品Ｍの質量と、各ストック部４ｎに貯留された物品の質量とに基づいて組合せ演算を実行し、目標値に最も近い最適組合せを選択する。そして、選択した組合せの加算値がより厳しい許容範囲内に収まっていれば、その最適組合せに属する各ストック部４ｎに駆動指令を送信して、選ばれたストック部４ｎから内部の物品をコンベアＣへ排出させる。また、計量された物品Ｍが最適組合せに選ばれていれば、それを第２振分アーム５７で排出するための振分タイマーを始動させる。そして、振分コンベア３０へ乗り移った物品Ｍが第２振分アーム５７の手前に到達すると、その振分タイマーがタイムアップし、それに基づいて制御部２は、第２振分アーム５７に駆動指令を送信して、搬送中の物品ＭをコンベアＣへ排出させる。
【００５３】
また、最適組合せの加算値がより厳しい許容範囲内に収まっていないときは、制御部２は、計量した物品Ｍをどのストック部４ｎに供給するかを決定する。その決定は、計量を終えた物品Ｍが振分コンベア３０に乗り移るまでに行われる。そして、その物品Ｍが振分コンベア３０の光電センサ３３で検出されると、制御部２は、決定したストック部４ｎに対応するタイマー時間を振分タイマーに設定して始動させ、それがタイムアップすると、搬送中の物品Ｍは、決定されたストック部４ｎの手前に到達しているから、制御部２は、対応する振分アーム５ｎを駆動させて、搬送中の物品Ｍを決定されたストック部４ｎに排出する。
【００５４】
また、このケースでは、搬送される物品間隔が詰まっていると、振分コンベア３０上に複数の物品Ｍが前後して存在する場合もある。さらに、振分コンベア３０で搬送している物品Ｍが、ストック部４ｎへ排出される前に、そのストック部４ｎ内の物品質量と、後続の新たな物品Ｍの質量とが組合せ対象となる場合もある。そのため、この実施形態では、計量した物品Ｍと、それを収納するストック部４ｎとが決定されると、その物品Ｍがストック部４ｎ内に未だ収納されていなくても、そのストック部４ｎ内の物品質量に計量した物品Ｍの質量を加算して組合せに参加させ、その加算値が最適組合せに選ばれると、制御部２は、そのストック部４ｎ内の物品を排出させた後、搬送中の物品Ｍがそのストック部４ｎ内に排出されるのを待って、そのストック部４ｎに対して、開放したゲートを閉じるように制御する。
【００５５】
制御部２には、さらにベルトコンベア１１、振分コンベア３０、下段のコンベアＣ、第１振分アーム５１〜５６、第２振分アーム５７の各駆動部が接続されて、これらに対する動作制御も行うようになっている。
【００５６】
操作表示部２０からは、種々の設定条件を設定することができ、それを操作することにより、目標値、許容範囲（上下限値）、その許容範囲をより厳しく制限した上下限値（より厳しい許容範囲）が設定できるように構成されている。また、計量コンベア１０の処理能力（単位時間当たりの計量回数）が設定されると、その運転速度に合わせてコンベアＣとベルトコンベア１１並びに振分コンベア３０の搬送速度が設定され、さらに、設定された搬送速度に基づいて、計量タイマーのタイマー時間や振分タイマーのタイマー時間が設定されるようになっている。
【００５７】
図７は、制御部２のＲＡＭ２５に記憶された各種データの一例を示す。この例では、例えば、アドレス0000には、計量器１２から入力された物品の質量が、続くアドレス0001〜0006には、各ストック部４ｎに貯留された物品の質量がそれぞれ記憶される。また、次のアドレス0007には、各ストック部４ｎに貯留された物品の平均質量が、次のアドレス0008には、次に計量予定の看做し平均質量が記憶される。この看做し平均質量は、これまでに計量した物品質量の移動平均である。さらに、続くアドレス0009〜0014には、ストック部４ｎに関する分散度が、すなわち、計量器１２で計量した物品を各ストック部４ｎに順次投入したと仮定した場合の６つの分散度がそれぞれ記憶される。また、次のアドレス0015には、それらの３６通りの分散度の中から選択した最適な分散度を与えるストック部４ｎの番号が記憶される。
【００５８】
次に、この組合せ計量装置１００の基本動作を図８〜図１０のフローチャートに基づいて説明する。
運転に際しては、図５の操作表示部２０を操作して、まず、計量コンベア１０の運転速度を設定する。その速度は、上流のコンベア速度と同じでもよいが、処理能力に余裕があれば、上流のコンベア速度よりも若干速い速度に設定しておく。そうすれば、計量コンベア１０への物品Ｍの２個乗りを防止することができる。そして、図示しない運転キーを操作して組合せ計量装置１００を始動させると、計量コンベア１０と振分コンベア３０が設定速度で運転され、上流のコンベアも動き出して物品の到来を待機する状態になる。図８は、そうした待機状態における制御部２の動作の一例を示したものである。
なお、ここで計量する物品Ｍは、例えば、ブロイラーを解体して得られる胸肉やモモ肉等のブロック肉であって、それらは互いに分離された状態で計量コンベア１０へ個々に搬送されてくるものとする。また、計量コンベア１０と振分コンベア３０は、設定速度で常時駆動されているものとする。
【００５９】
この図８において、制御部２は、まず、下流のコンベアＣ上に物品が排出されていないかチェックする（ステップＳ１）。最初は、物品はコンベアＣ上に存在していないから、次に、計量タイマーの動作を確認する（ステップＳ２）。この状態では、計量タイマーが停止しているから、次のステップＳ３で計量コンベア１０の光電センサ２３をチェックする。光電センサ２３も物品Ｍを検出していなければ、続くステップＳ４で振分タイマーの動作を確認する。しかし、最初は、振分タイマーも停止しているから、続くステップＳ５で、振分コンベア３０の光電センサ３３をチェックする。こうして、物品Ｍが計量コンベア１０に到来するまで、ステップＳ１からステップＳ５までのループ処理を繰り返す。
【００６０】
そして、最初の物品Ｍが計量コンベア１０に到達して光電センサ２３がその物品Ｍを検出すると（ステップＳ３）、制御部２は、ステップＳ６に移行して計量タイマーを始動させる。続いて、ステップＳ１からステップＳ２に移行するが、この時には、計量タイマーが動作中であるから、ステップＳ７に移行して計量タイマーがタイムアップしたか否かをチェックする。タイムアップしていなければ、ステップＳ４からステップＳ５に移行してステップＳ１に戻る。こうして、計量タイマーがタイムアップするまでは、ステップＳ２からステップＳ７、ステップＳ４に至る処理を繰り返す。その間に、計量コンベア１０上の物品Ｍは、その出口付近に搬送されてくる。
【００６１】
周知のように、コンピュータで構成された制御部２の処理速度は、物品Ｍの移動に比して極めて高速であるから、物品Ｍが計量コンベア１０の出口近くに到達し、制御部２の処理ステップもステップＳ７に進んで、計量タイマーのタイムアップが確認されれば、制御部２は、計量タイマーを停止させた後（ステップＳ８）、計量器１２から物品質量Woを入力してアドレス0000に記憶する（ステップＳ９）。続いて、制御部２は、ステップＳ１０に移行して組合せ計量処理を実行する。この処理については、後述するが、この処理においてストック部４ｎから物品を排出していれば、制御部２は、ステップＳ１に移行したときに、コンベアＣ上に物品ありと判断して、次のステップＳ１１でコンベアＣを駆動させる。このコンベアＣは、ベルトが半周すると自動的に停止する。
【００６２】
また、ステップＳ１０の処理において、計量した物品Ｍをストック部４ｎに供給すると決定されているとき、あるいは、コンベアＣへ直接排出すると決定されているときは、計量した物品Ｍを振分コンベア３０上から排除するための振分タイマーのタイマー時間が設定されている。そして、計量された物品Ｍが振分コンベア３０に乗り移って、光電センサ３３の検出位置に到達し、制御部２の処理ステップもステップＳ５に到達して、光電センサ３３による物品Ｍの検出を確認すれば、制御部２は、ステップＳ１２に移行して振分タイマーを始動させる。
【００６３】
こうして振分コンベア３０に乗り移った物品Ｍは、下流へと搬送されていくが、その間に、次の新たな物品Ｍが計量コンベア１０に進入すると、ステップＳ３で新たな物品Ｍが検出され、それに基づいて制御部２は、ステップＳ６に移行して再び計量タイマーを始動させる。
【００６４】
一方、振分コンベア３０上の物品Ｍが、指定された振分アーム５ｎに到達し、制御部２の処理ステップもステップＳ４からステップＳ１３に移行して、振分タイマーのタイムアップを確認すれば、そのタイマーを停止させた後（ステップＳ１４）、指定された振分アーム５ｎ（第２振分アーム５７が指定される場合もある。）に駆動指令を送信する（ステップＳ１５）。すると、指令を受けた振分アーム５ｎ（第２の振分アーム５７も含む）は、搬送路を遮る方向に旋回して搬送中の物品Ｍを対応するストック部４ｎに、或いは、コンベアＣに直接排出する。
【００６５】
また、複数の物品Ｍが振分コンベア３０上に存在するときは、それぞれの物品に対して振分タイマーのタイマー時間が割り当てられているから、ステップＳ１３において、何れかの振分タイマーがタイムアップしていれば、そのタイマーに対応する振分アーム５ｎに駆動指令が送信される。それとタイミングを合わせて、対応する物品が指定の振分アーム５ｎの振分位置に到達するから、その物品は、回動する振分アーム５によって振分コンベア３０から排出される。
【００６６】
図９は、ステップＳ１０の組合せ計量処理の一例を示したフローチャートである。この図において、制御部２は、計量器１２から入力した物品質量Woと各ストック部４ｎ内に貯留されている物品の質量とを対象として組合せ、その加算値が目標値に最も近くなる最適組合せを選択する（ステップＳ１６）。続いて、選択した組合せ加算値が設定許容範囲内に収まっているか否かをチェックし（ステップＳ１７）、収まっていれば、ステップＳ１８に移行し、収まっていなければ、ステップＳ１９に移行して、計量した物品質量Woと各ストック部４ｎ内の物品質量との合計値を算出する。
【００６７】
続いて、制御部２は、ステップＳ２０において、その合計値が許容量を越えているか否かをチェックする。この許容量は、ストック部４ｎの台数によって異なるが、この実施例では、一例として目標値の3.5倍を許容量として設定している。すなわち、各ストック部４ｎ内の物品の総量が目標値の3.5倍を超えていれば、それ以上物品Ｍをストック部４ｎに供給しても、組合せ不成立の確率が増大するだけであるから、算出した合計値がこの許容量を超えていれば、続くステップＳ２１において、その合計値が下限値を下回るか、上限値を上回るかをチェックする。そして、下限値を下回っていれば、ステップＳ２５に移行し、上限値を上回っていれば、ステップＳ２６に移行する。
【００６８】
また、算出した合計値がこの許容量を越えていなければ、各ストック部４ｎには、計量した物品Ｍを受け入れる余裕があるから、ステップＳ２４に移行して、計量した物品Ｍを特定したストック４ｎに供給するための処理に入る。この処理については、後述する。
【００６９】
また、ステップＳ１７において、選択された組合せ加算値が設定許容範囲内に収まっていれば、ステップＳ１８に移行して、その加算値がさらに厳しい許容範囲内に収まっているか否かをチェックする。この厳しい許容範囲とは、この実施例では、例えば、ユーザが設定した許容範囲を更に５０％絞り込んだ範囲としている。そして、選択された組合せ加算値がこの厳しい許容範囲内に収まっていれば、ステップＳ２７に移行して、選択された最適組合せに属する物品をストック部４ｎから、あるいは、振分コンベア３０からコンベアＣへ排出させるが、この厳しい許容範囲内に収まっていなければ、次のステップＳ２２において、計量した物品質量Woと、各ストック部４ｎ内の物品質量との合計値を算出し、続くステップＳ２３において、その合計値が限界量に達しているか否かをチェックする。この限界量は、許容範囲内に収まる組合せを安定的に成立させるための値であって、この実施例では、一例として目標値の1.8倍としている。前記合計値がこの限界量を越えていれば、稼働率が悪化する可能性があるから、選択した組合せ加算値がより厳しい許容範囲内に収まっていなくても、ユーザが設定した許容範囲内には収まっているから、ステップＳ２７に移行して、選択された最適組合せに属する物品をコンベアＣ上に排出させる。
【００７０】
このステップＳ２７に移行すると、制御部２は、最適組合せに選ばれた各ストック部４ｎに駆動指令を送信する。すると、駆動指令を受けた各ストック部４ｎは、両開きゲート４０を開放して内部の物品をコンベアＣに排出する。また、計量した物品Ｍがこの最適組合せに選ばれていれば、その物品ＭをコンベアＣに振分けるためのタイマー時間を振分タイマーに設定する。このタイマー時間は、下流の光電センサ３３が物品Ｍを検出した位置からそれが第２の振分アーム５７に到達するまでの搬送時間とされている。続いて、制御部２は、駆動指令を送った各ストック部４ｎの物品質量をメモリから消去して次の組合せ計量に備える。
【００７１】
一方、ステップＳ２３において、選択された組合せ合計値がこの限界量以下であれば、各ストック部４ｎには、計量した物品Ｍを受け入れる余裕があるから、ステップＳ２４に移行して、計量した物品Ｍを特定したストック４ｎに供給する処理に入る。
【００７２】
図１０は、このステップＳ２４における物品供給処理の詳細を示す。この図において、制御部２は、まず、ステップＳ２８で、カウンターｍの値を１にセットし、次に、図７に示すアドレス0008の看做し平均質量をストック部４１の物品質量に加算する（ステップＳ２９）。続いて、ステップＳ３０で、カウンターｎの値を１にセットして、計量器１２から入力した物品Ｍの質量Woを１番目のストック部４１の物品質量に加算した後、各ストック部４ｎ内の物品質量の分散度を算出し、それを図７のアドレス0009に記憶する（ステップＳ３１）。次に、ステップＳ３２からステップＳ３３の処理を経てカウンターｎの値を２にセットし、再びステップＳ３１に戻って、今度は２番目のストック部４２の物品質量に前記物品質量Woを加算して、各ストック部４ｎ内の物品質量の分散度を求め、それをアドレス0009に記憶する。こうした処理をカウントーｎの値が６になるまで繰り返し、６になると、ステップＳ３４に移行して、カウンターｍの値が６になっているか否かをチェックする。しかし、この場合には、まだ、６になっていないから、続くステップＳ３５で、カウンターｍの値を２にセットして、再び、ステップＳ２９に戻って、今度は、前記平均質量をストック部４２の物品質量に加算する。そうして、ステップＳ３０からステップＳ３３までの処理を繰り返す。
【００７３】
こうして、カウンターｍの値が６になると、全部で３６個の分散度が記憶されているので、制御部２は、記憶した３６個の分散度の中から最適な分散度を特定し（ステップＳ３６）、その分散度を与えるストック部４ｎに対応する振分アーム５ｎの番号を記憶する（ステップＳ３７）。続いて、記憶した番号の振分アーム５ｎに対してタイマー時間を設定する（ステップＳ３８）。このタイマー時間は、振分コンベア３０によって搬送される物品Ｍが、光電センサ３３の検出位置から記憶した番号の前記振分アーム５ｎに至るまでの搬送時間である。続いて、制御部２は、対応するストック部４ｎの物品質量に前記物品Ｍの質量Woを加算して、図７のストック部４ｎのメモリ内容を記憶更新する（ステップＳ３９）。
【００７４】
以上の処理は、計量コンベア１０で計量された物品Ｍが振分コンベア３０に乗り移るまでに行われる。そして、振分コンベア３０に進入した物品ＭがステップＳ５において光電センサ３３で検出されると、タイマー時間の設定された振分タイマーが始動し、それがタイムアップすると、前述の各ステップＳ１４、Ｓ１５の処理が実行される。
【００７５】
図９に戻って、ステップＳ１９で算出した、計量した物品質量Woと各ストック部４ｎ内の物品質量との合計値が各ストック部４ｎに蓄えることのできる物品総量の許容量を超え（ステップＳ２０）、かつ、下限値を下回っていれば、ステップＳ２５に移行して、目標値に最も近い組合せとして選択された各ストック部４ｎに駆動指令を送信する。駆動指令を受信した各ストック部４ｎは、両開きゲート４０を開閉して、内部の物品をコンベアＣに排出する。続いて、制御部２は、駆動指令を送った各ストック部４ｎの対応するメモリ内容をクリアして、次の組合せ計量に備える。
【００７６】
また、ステップＳ１９で算出した合計値が各ストック部４ｎに蓄えることのできる物品総量の許容量を超え、かつ、上限値を上回っていれば、ステップＳ２６に移行して、蓄積量の多いストック部４ｎから蓄積量の小さいストック部へと、順次、各ストック部４ｎ内の物品質量を加算して行く。そして、その加算値が目標質量を超えた時点で、それまでに加算対象となった各ストック部４ｎに対して駆動指令を送信する。すると、駆動指令を受けた蓄積量の多いストック部４ｎは、両開きゲート４０を開閉して、内部の物品をコンベアＣに排出する。これにより、ストック部４ｎ内の過量状態が解消される。続いて、制御部２は、駆動指令を送った各ストック部４ｎに対応するメモリ内容をクリアして、次の組合せ計量に備える。
こうして、組合せ計量処理が終了すると、再びステップS１に戻って、前述の処理を繰り返す。
【００７７】
図１１、図１２は、以上の実施形態を使用してシミュレーションした場合の計量精度と稼働率とを表したグラフである。この内、図１１は、計量精度（選択された組合せ加算値と目標値との誤差率）を表したグラフで、縦軸に誤差率をとり、横軸に平均質量の物品Ｍを何回供給すれば、目標値に到達するかの供給回数をとっている。したがって、例えば、平均質量が500ｇの物品で、目標値が２Kgの場合は、平均供給回数が４になり、そのときの誤差率は、1.2％になることを表している。このグラフから明らかなように、供給回数が4.5回以上になれば、誤差率が１％を切り、さらに、供給回数が増えれば、精度は更に向上することが判る。また、この傾向は、分散度を２５％、３０％、３５％と替えても、殆ど変わらないことが確認できているので、ここでは、分散度が３５％の計量精度を載せている。
【００７８】
図１２は、分散度を２５％、３０％、３５％と変えた場合のそれぞれの稼動率を表したグラフである。この実施形態においては、平均質量の物品を複数回供給しなければ、目標値に到達することができないので、許容範囲内に収まる組合せが成立するのは、毎回ではなく、複数回おきとなる。そこで、このグラフでは、縦軸に正常運転率を、すなわち、｛（組合せ成立回数＋物品供給回数）÷計量回数｝×100をとり、横軸に前述の物品供給回数をとっている。このグラフから明らかなように、物品供給回数が４回以上となれば、正常運転率は、ほぼ100％になることが判る。
【００７９】
以上、本発明の一実施形態について説明したが、本発明は、これに限定されるものではなく、その他の形態も採用可能である。例えば、図３、図４に示すような装置モデルを使用するときは、計量コンベア１０上の物品を直接各ストック部４ｎに供給することができるから、振分タイマーを使用する必要がなくなる。
【符号の説明】
【００８０】
１        計量手段
２        制御部
３        振分部
３２        ロボットハンド
４ｎ        ストック部
１００        組合せ計量装置
【図１】
2015219190.tif 000008
【図２】
2015219190.tif 000009
【図３】
2015219190.tif 000010
【図５】
2015219190.tif 000011
【図６】
2015219190.tif 000012
【図７】
2015219190.tif 000013
【図８】
2015219190.tif 000014
【図９】
2015219190.tif 000015
【図１０】
2015219190.tif 000016
【図１１】
2015219190.tif 000017
【図１２】
2015219190.tif 000018
【図４】
2015219190.tif 000019